(57)【要約】      （修正有）【解決手段】含フッ素共重合体をｐＨ調整剤の存在下に乳化重合法により製造するに際して、上記ｐＨ調整剤としてアンモニア水を用いることを特徴とする含フッ素共重合体の製造方法。上記乳化重合法で得られた含フッ素共重合体水性分散液中の含フッ素共集合体を凝析させて含フッ素共重合体を分取するに際して、上記凝析剤として、カチオン系界面活性剤及び水溶性有機溶媒を用いることが好ましい。また、上記乳化重合は、乳化剤としてのアニオン系界面活性剤の存在下に行われることが好ましい。【効果】不純物源となる金属元素濃度が低減された含フッ素共重合体の製造方法が提供される。【選択図】なし【特許請求の範囲】
【請求項１】
含フッ素共重合体をｐＨ調整剤の存在下に乳化重合法により製造するに際して、上記ｐＨ調整剤としてアンモニア水を用いることを特徴とする含フッ素共重合体の製造方法。
【請求項２】
上記乳化重合法で得られた含フッ素共重合体水性分散液中の含フッ素共重合体を凝析させて含フッ素共重合体を分取するに際して、上記凝析剤として、カチオン系界面活性剤および水溶性有機溶媒を用いることを特徴とする請求項１に記載の含フッ素共重合体の製造方法。
【請求項３】
上記カチオン系界面活性剤が、式：「（Ｒ４Ｎ＋）Ｘ−」（Ｒ：炭素数１〜２２のアルキル基、該アルキル基中の水素原子の少なくとも一部がフッ素置換されたフルオロアルキル基、および水素原子の何れかを示し、４個のＲは互いに同一でも異なっていてもよい。但し、４個のＲが同時に水素原子であることはない。Ｘ：ハロゲン原子を示す。）で表されることを特徴とする請求項２に記載の含フッ素共重合体の製造方法。
【請求項４】
上記乳化重合が、乳化剤としてのアニオン系界面活性剤の存在下に行われることを特徴とする請求項１〜３の何れかに記載の含フッ素共重合体の製造方法。
【請求項５】
上記請求項１〜４の何れかに記載の方法により得られ、得られた含フッ素共重合体中の金属元素濃度が１ｐｐｍ以下である含フッ素共重合体。
【請求項６】
上記請求項５に記載の含フッ素共重合体を溶融成形してなる含フッ素共重合体溶融成形品。
【請求項７】
上記請求項５に記載の含フッ素共重合体を架橋成形してなる含フッ素共重合体架橋成形品。
【発明の詳細な説明】
【０００１】
【発明の技術分野】
本発明は、含フッ素共重合体の製造方法に関する。さらに詳しくは、本発明は、不純物源となる金属元素濃度が低減された含フッ素共重合体の製造方法に関する。
また、本発明は、不純物源となる金属元素濃度が低減されており、液晶・半導体製造装置分野における搬送ロール、シール材、ホース、チューブなどとして、あるいは電気分野におけるリチウム二次電池のポリマー電解質形成用高分子マトリックスなどとしての用途に好適であるような、含フッ素共重合体およびその架橋（加硫）成形体に関する。
【０００２】
【発明の技術的背景】
含フッ素共重合体は、一般に、ポリオレフィン等に比して耐薬品性、耐熱性、純粋性などに優れる傾向があり、従来より、液晶・半導体製造装置分野における搬送ロール、シール材、ホース、チューブなどの成形体として、あるいは電気分野におけるリチウム二次電池のポリマー電解質形成用高分子マトリックスなどとしての用途に用いられている。
【０００３】
液晶・半導体製造工程では、含フッ素共重合体よりなる上記成形体中に含まれる金属元素などの不純物は、パーティクルと呼ばれ、ウエハー表面を汚染する原因となり、製品不良につながることから、残存する金属元素の除去は、製品歩留まり向上の観点からも大きな課題となっている。
それ故に、液晶・半導体製造装置に使用される材料にも、製品不良につながるような不純物質を発生しないものを用いることが求められている。
【０００４】
また、リチウムイオン二次電池などに使用されるポリマー電解質においても、金属元素の混入は、リチウムイオンの移動が妨害されることなどにより、ポリマー電解質のイオン伝導度の低下を引き起こし、また、充放電サイクル時の放電容量の低下などを引き起こす原因となることが考えられるため望ましくない。
従来、含フッ素共重合体は、含フッ素アニオン系界面活性剤を用いた乳化重合法により合成され、乳化重合法により得られた含フッ素共重合体の水性分散液を塩化ナトリウム１種あるいは塩化ナトリウム、カリウムミョウバン、塩化マグネシウムなど複数種の無機塩析剤が溶解されている水溶液に攪拌下に滴下していくことにより、含まれる含フッ素共重合体を凝集させ、単離していた。
【０００５】
しかしながら、この塩析方法の難点の一つとして、塩析時に使用した無機塩析剤が含フッ素共重合体の凝集と共に、含フッ素共重合体中に含有・吸着されてしまうため、純水などによる洗浄を繰り返し行っても含フッ素共重合体中の無機塩析剤を完全に取り除くことは困難であり、用いられた無機塩析剤に起因する金属元素の含有率の高い含フッ素共重合体が得られてしまうという問題点があった。
【０００６】
また、含フッ素共重合体の単離のために塩析剤を使用しない方法として、含フッ素共重合体水性分散液を凍結させることにより凝析を行う凍結凝析法が挙げられるが、この方法により得られた含フッ素共重合体は、該共重合体の製造の際に用いられたアニオン界面活性剤やｐＨ調整剤などを吸着・含有してしまっているため、不純物の低減には不利であり、また、生産性の観点からも好ましくない。
【０００７】
一方、含フッ素共重合体の単離のために、塩析を必要としない方法として、溶液重合法や溶液懸濁重合法が挙げられる。
しかしながら、エラストマー領域の含フッ素共重合体を得る場合には、含フッ素モノマーの反応性やバッチ効率の観点から乳化重合法の方が有利である。
【０００８】
【発明の目的】
本発明は、上記のような従来技術に伴う問題点を解決しようとするものであって、乳化重合法、好ましくは金属元素含有原料を用いない乳化重合法により得られた含フッ素共重合体水性分散液から、金属元素濃度が低減された高純度含フッ素共重合体を得ることができるような、含フッ素共重合体の製造方法を提供することを目的としている。
【０００９】
また本発明は、上記製法で得られた含フッ素共重合体を溶融成形あるいは加硫（架橋）成形してなり、金属元素濃度が低減されており、液晶・半導体製造装置分野における搬送ロール、シール材、ホース、チューブなどとして、あるいは電気分野におけるリチウム二次電池のポリマー電解質形成用高分子マトリックスなどとしての用途に好適であるような含フッ素共重合体を提供することを目的としている。
【００１０】
【発明の概要】
本発明に係る含フッ素共重合体の製造方法は、含フッ素共重合体をｐＨ調整剤の存在下に乳化重合法により製造するに際して、上記ｐＨ調整剤としてアンモニア水を用いることを特徴としている。
本発明の好ましい態様においては、上記乳化重合法で得られた含フッ素共重合体水性分散液中の含フッ素共重合体を凝析させて含フッ素共重合体を分取するに際して、上記凝析剤として、カチオン系界面活性剤および水溶性有機溶媒を用いることが望ましい。
【００１１】
さらには、上記カチオン系界面活性剤は、式：「（Ｒ４Ｎ＋）Ｘ−」（Ｒ：炭素数１〜２２のアルキル基、該アルキル基中の水素原子の少なくとも一部がフッ素置換されたフルオロアルキル基、および水素原子の何れかを示し、４個のＲは互いに同一でも異なっていてもよい。但し、４個のＲが同時に水素原子であることはない。Ｘ：ハロゲン原子を示す。）で表されることが好ましい。
【００１２】
また、上記乳化重合は、乳化剤としてのアニオン系界面活性剤の存在下に行われることが好ましい。
本発明に係る含フッ素共重合体は、上記の製造方法により得られ、得られた含フッ素共重合体中の金属元素濃度が１ｐｐｍ以下であることを特徴としている。本発明に係る含フッ素共重合体溶融成形品は、上記の含フッ素共重合体を溶融成形してなる。
【００１３】
本発明に係る含フッ素共重合体加硫成形品は、上記の含フッ素共重合体を加硫成形してなる。
本発明に係る含フッ素共重合体の製造方法によれば、乳化重合法、好ましくは金属元素含有原料を用いない乳化重合法により得られた含フッ素共重合体水性分散液から、金属元素濃度が低減された高純度含フッ素共重合体を簡単な方法で得ることができる。
【００１４】
このような含フッ素共重合体を溶融成形し、あるいは加硫（架橋）成形してなる成形体は、金属元素濃度が低減されており、液晶・半導体製造装置分野における搬送ロール、シール材、ホース、チューブなどとして、あるいは電気分野におけるリチウム二次電池のポリマー電解質形成用高分子マトリックスなどとしての用途に好適である。
【００１５】
【発明の具体的説明】
以下、本発明に係る含フッ素共重合体の製造方法について具体的に説明する。
＜含フッ素共重合体の製造方法＞
本発明に係る含フッ素共重合体の製造方法では、含フッ素共重合体をｐＨ調整剤としてのアンモニア水の存在下に乳化重合法により製造し、その好ましい態様では、得られた含フッ素共重合体水性分散液から含フッ素共重合体を凝析剤により凝析させて分取している。
【００１６】
また本発明の好ましい態様では、上記凝析剤として、カチオン系界面活性剤および水溶性有機溶媒を用いている。
［乳化重合］
以下、このような含フッ素共重合体の製造方法について分説すると、本発明では、まず、含フッ素共重合体を乳化重合法により製造しているが、該乳化重合の際には、原料モノマー（例：フッ化ビニリデン、クロロトリフルオロエチレン等の含フッ素ビニル系モノマー）、乳化剤、開始剤、水好ましくはイオン交換水、ｐＨ調整剤としてのアンモニア水の他、必要により、連鎖移動剤（例：メタノール，エタノール，イソプロパノール）等が用いられる。これらの配合成分は、何れも金属元素を含有しないものであることが望ましい。
【００１７】
本発明では、このように乳化重合の際に、ｐＨ調整剤として、金属元素を含有したもの（例：リン酸水素二ナトリウム・１２水和物）を用いずに、ｐＨ調整剤として金属元素を含有しないもの、好ましくはアンモニア水を用いているので、後述する凝析を行うことにより効率よく、何れの金属元素含量も低減された含フッ素共重合体を得ることができるという効果がある。このアンモニア水は、反応液としての乳化重合液のｐＨが５〜８となるような量で用いられる。
【００１８】
乳化剤としては、通常、従来より公知のアニオン系界面活性剤が広く使用できるが、後述する凝析剤中の一成分であるカチオン系界面活性剤とのゼータ電位の差が大きい点から望ましく用いられる。このように、本発明において乳化剤として、広範なアニオン系界面活性剤を使用可能な理由は、凝析自身はゼータ電位が正反対であるカチオン系界面活性剤を用いれば良いためである。ただし、重合の観点では、一般に連鎖移動作用が小さいフッ素系の界面活性剤を選択する場合、アニオン系界面活性剤は種類が多く、また、重合時のラテックスの安定性も良好であるため、アニオン系のうちでも特にフッ素系界面活性剤が好ましい。
【００１９】
開始剤（重合開始剤）としては、例えば、過酸化物（例：ペルオキソ二硫酸アンモニウムなどの無機過酸化物やジアルキルペルオキサイドなどの有機過酸化物）やレドックス系の水溶性開始剤が用いられる。なお、重合開始剤用の過酸化物などとしても、金属元素を含有したもの（例：ペルオキソ二硫酸ナトリウム、ペルオキソ二硫酸カリウムなど）は用いないことが、金属元素含量の低減された含フッ素共重合体を得るという点からは望ましい。
【００２０】
乳化重合の際に乳化剤として用いられるアニオン系界面活性剤としては、金属元素を含まないものが好ましいが、例えば、パーフルオロオクタン酸アンモニウム（ＮＨ４＋［Ｃ７Ｆ１５ＣＯＯ−］）、パーフルオロノナン酸アンモニウム（ＮＨ４＋［Ｃ８Ｆ１７ＣＯＯ−］）、パーフルオロヘプタン酸アンモニウム（ＮＨ４＋［Ｃ６Ｆ１３ＣＯＯ−］）が挙げられる。
【００２１】
これら乳化剤は、上記各成分を含む反応液中の濃度が、通常０．１〜２０．０重量％となるような量で用いられる。
上記条件下に、オートクレーブ等の反応器中で乳化重合して得られる含フッ素共重合体（固形分）の反応液（含フッ素共重合体水性分散液）中の濃度は、特に限定されないが、例えば、５〜４０重量％程度である。
［凝析］
次いで、上記含フッ素共重合体水性分散液（反応液）を凝析剤により処理して含フッ素共重合体を凝析させるが、その際には、前述したようにカチオン系界面活性剤と水溶性有機溶媒とを含む凝析剤が好ましく用いられる。
【００２２】
カチオン系界面活性剤としては、金属元素を含まないものが好ましく、例えば、式：「（  Ｒ４Ｎ＋）Ｘ−」・・・・・（Ａ）
（式（Ａ）中、Ｒは、炭素数１〜２２のアルキル基、該アルキル基中の水素原子の少なくとも一部がフッ素置換されたフルオロアルキル基、および水素原子の何れかを示し、４個のＲは互いに同一でも異なっていてもよい。但し、４個のＲが同時に水素原子であることはない。Ｘは、ハロゲン原子またはアセトキシ基を示す。）で表されるものなどが挙げられる。
【００２３】
上記式（Ａ）で表される金属不含のカチオン系界面活性剤として、さらに具体的には、式（Ａ）中のＸがハロゲン、特にＣｌ（塩素原子）である、
式［Ｉ］：
【００２４】
【化１】
2004285264.tif 000002
【００２５】
（式［Ｉ］中、Ｒ１、Ｒ２、Ｒ３、Ｒ４は、互いに同一でも異なっていてもよく、Ｒ１は、アルキル基、好ましくはＣ１０〜２２の長鎖アルキル基を示し、Ｒ２、Ｒ３、Ｒ４は、水素原子、アルキル基（好ましくはＣ１〜２２のアルキル基）の何れかを示す。Ｒ１、Ｒ２、Ｒ３、Ｒ４中に含まれる水素原子は、その一部または全部がフッ素置換されていてもよい。）
で表され、モノアルキルモノメチルアンモニウムクロライド、モノアルキルジメチルアンモニウムクロライド、モノアルキルトリメチルアンモニウムクロライド、ジアルキルジメチルアンモニウムクロライド、トリアルキルモノメチルアンモニウムクロライド、テトラアルキルアンモニウムクロライドなどの、メチル基を有していてもよいアルキルアンモニウムクロライド（但し、これら化合物［Ｉ］中のアルキル基は、Ｒ１と同様のものである。）；
あるいは、上記式（Ａ）中のＸがアセトキシ基（ＣＨ３ＣＯＯ−）である、
式［ＩＩ］：
【００２６】
【化２】
2004285264.tif 000003
【００２７】
（式［ＩＩ］中、Ｒ１、Ｒ２、Ｒ３、Ｒ４は、互いに同一でも異なっていてもよく、Ｒ１は、アルキル基、好ましくはＣ１０〜２２の長鎖アルキル基を示し、Ｒ２、Ｒ３、Ｒ４は、水素原子、アルキル基（好ましくはＣ１〜２２のアルキル基）の何れかを示す。Ｒ１、Ｒ２、Ｒ３、Ｒ４中に含まれる水素原子は、その一部または全部がフッ素置換されていてもよい。）
で表され、モノアルキルアミン酢酸塩、モノアルキルジメチルアミン酢酸塩などの、メチル基を有していてもよいモノアルキルアミンの酢酸塩（モノアルキルアミンアセテート）（但し、これら化合物［ＩＩ］中のアルキル基は、Ｒ１と同様のものである。）；
モノアルキルアミン（但し、該アルキル基は、Ｃ１〜２２のアルキル基）；
等が挙げられる。
【００２８】
上記各界面活性剤（界面活性剤用の化合物）中のアルキル基の少なくとも１つは、炭素数１０以上、好ましくは１０〜１８の長鎖アルキル基であることが望ましい。また、上記界面活性剤が２つ以上のアルキル基を含む場合には、これらアルキル基は互いに同一でも異なっていてもよい。
このようなカチオン系界面活性剤として、さらに具体的には、例えば、ラウリルトリメチルアンモニウムクロライド、ドデシルトリメチルアンモニウムクロライド、ステアリルトリメチルアンモニウムクロライド、ジステアリルジメチルアンモニウムクロライド、ステアリル酸モノエタノールアミド、ラウリルアミンアセテート、ステアリルアミンアセテート、さらにはＮ原子に直接結合したこれらのアルキル基がフッ素化されたパーフルオロアルキル−トリメチル−アンモニウムクロライド（［ＣｎＦ２ｎ＋１（ＣＨ３）３Ｎ］＋・Ｃｌ−  （ｎ：１〜２２程度の整数））等が挙げられる。
【００２９】
これらのカチオン系界面活性剤のうちでは、式：「（Ｒ４Ｎ＋）Ｘ−」（Ｒは、上記式（Ａ）の場合と同様であり、Ｘは、ハロゲン原子好ましくはＣｌ、または、アセトキシ基（ＣＨ３ＣＯＯ−）、特に好ましくはＸはＣｌである。）で表されるものであることが、入手が容易であるなどのため好ましい。
これらのカチオン系界面活性剤は、１種または２種以上組み合わせて用いてもよい。
【００３０】
なお、上記カチオン系界面活性剤に代えて、金属塩（例：塩化カルシウム、塩化ナトリウム、カリミョウバン）などに代表される金属化合物を含むものを凝析剤として用いると、凍結凝析法など凝析法の如何に依らず、含フッ素共重合体中の不純物金属の含有量が高くなってしまう（後述する比較例１〜３参照）。
また、水溶性有機溶媒としては、メタノール、エタノール、イソプロパノールなどのアルコール類（特にＣ１〜１０の脂肪族アルコール）；
ジメチルホルムアミド、ジエチルアセトアミドなどのアミド類；
アセトンなどのケトン類；
エチレングリコール、トリエチレングリコール、テトラエチレングリコール、ジプロピレングリコール、１，２−プロパンジオール、１，３−プロンパンジオール、１，２−ブタンジオール、２，３−ブタンジオール、１，３−ブタンジオール、１，４−ブタンジオール、１，２−ペンタンジオール、１，５−ペンタンジオール、２，５−ヘキサンジオール、３−メチル１，３−ブタンジオール、２メチルペンタン−２，４−ジオール、３−メチルペンタン−１，３，５トリオール、１，２，３−ヘキサントリオール、グリセリンなどのアルキレングリコール類；
ポリエチレングリコール、ポリプロピレングリコールなどのポリアルキレングリコール類；
グリセロール、ジグリセロール、トリグリセロールなどのグリセロール類；
エチレングリコールモノメチルエーテル、エチレングリコールモノエチルエーテル、ジエチレングリコールモノメチルエーテル、ジエチレングリコールモノエチルエーテル、ジエチレングリコールモノ−ｎ−ブチルエーテルなどのグリコールの低級アルキルエーテル；
チオジエタノール、Ｎ−メチル−２−ピロリドン、１，３−ジメチル−２−イミダリジノンなどが挙げられる。
【００３１】
これらの水溶性有機溶媒のうちでは、上記カチオン系界面活性剤との相溶性の点からメタノール、エタノール、イソプロパノールなどのアルコール類、好ましくはＣ１〜１０、特にＣ１〜５であって、直鎖状でも分岐を有していてもよい脂肪族アルコールが好ましい。
これらの水溶性有機溶媒は、１種または２種以上組み合わせて用いられる。
【００３２】
本発明では、凝析剤に含まれるカチオン系界面活性剤として、特に、ステアリルトリメチルアンモニウムクロライドに代表される界面活性剤［Ｉ］を用い、しかも、水溶性有機溶媒として上記脂肪族アルコールを組み合わせて用いると、凝析性が良好であり、洗浄性も良好となるため好ましい。
また、含フッ素共重合体水性分散液中に含まれている上記アニオン系界面活性剤の濃度などにも依るが、本発明では、上記カチオン系界面活性剤は、上記カチオン系界面活性剤と水溶性有機溶媒とが含まれた凝析剤中に、通常、０．０５〜３０．０重量％、好ましくは０．１〜１０．０重量％となるような量で、換言すれば、水溶性有機溶媒１００重量部に対して、カチオン系界面活性剤は、通常、０．３〜４０重量部、好ましくは０．５〜３０．０重量部の量で用いられることが、凝析による含フッ素共重合体の回収率、洗浄性が良好となる点から望ましい。
【００３３】
このカチオン系界面活性剤が、上記範囲より少ないと、含フッ素共重合体水性分散液中に含まれているアニオン系界面活性剤を電気的に十分な中和ができないために含フッ素共重合体が凝析しにくくなり含フッ素共重合体の回収率が低下してしまう傾向があり、また、上記範囲を超えると、凝析操作中に含フッ素共重合体の再乳化が生じてしまい、凝析による含フッ素共重合体の回収率が低下してしまう傾向がある。
【００３４】
また、カチオン系界面活性剤と水溶性有機溶媒とを含む凝析剤は、含フッ素共重合体水性分散液量に対して、通常０．５〜１０倍量、好ましくは０．５〜５．０倍量で用いることが、含フッ素共重合体の回収率および洗浄性の点から好ましい。
凝析された含フッ素共重合体を含む反応液は、減圧濾過、遠心濾過、加圧濾過などの濾過方法により、水相と濾別されて、含フッ素共重合体が分取される。
【００３５】
なお、本発明では、この濾別された水相のイオン伝導度が１０μＳ／ｃｍ以下、好ましくは０．２〜４．０μＳ／ｃｍ程度になるまで、含フッ素共重合体のイオン交換水による洗浄、濾過を繰り返した後、乾燥することにより、金属元素濃度が著しく低減された、高純度の含フッ素共重合体を分離（分取）することが望ましい。
【００３６】
このようにして得られた本発明に係る含フッ素共重合体は、金属元素（例：Ｎａ、Ｍｇ、Ａｌ、Ｋ、Ｃａ、Ｆｅ、Ｃｕなど）の濃度ができるだけ少ないことが好ましく、Ｎａ、Ｍｇ、Ａｌなど、含まれる何れの金属元素の濃度も、通常２ｐｐｍ以下、特に１ｐｐｍ以下であることが望ましい。
以上詳述してきたように、本発明に係る含フッ素共重合体の製造方法によれば、乳化重合法、好ましくは乳化重合時の配合成分（原料モノマー、乳化剤、ｐＨ調整剤など）として、特にｐＨ調整剤としてのアンモニア水のように、可能な限り金属元素を含まないものを用いた乳化重合法を採用し、しかも得られた含フッ素共重合体水性分散液から、含フッ素共重合体を凝析させて分取する際には、その好ましい態様では、凝析剤として金属元素を含まないものを採用することなどにより、各金属元素濃度が著しく低減（例：１ｐｐｍ以下）された高純度含フッ素共重合体を簡単な方法で得ることができる。
［得られた含フッ素共重合体の用途］
上記のように分離・精製して得られた含フッ素共重合体は、常法に従って、溶融成形されて溶融成形品として、あるいは加硫（架橋）成形されて加硫（架橋）成形品として用いられる。
【００３７】
これら成形品では、含まれる何れの金属元素の含量も、通常２ｐｐｍ以下、特に１ｐｐｍ以下と低減されているため、液晶・半導体製造装置の分野における搬送ロール、シール材、ホース、チューブなどとして、あるいは電気分野におけるリチウム二次電池のポリマー電解質形成用高分子マトリックスなどとしての用途に好適である。
【００３８】
【発明の効果】
本発明に係る含フッ素共重合体の製造方法によれば、乳化重合法、好ましくは金属元素含有原料を用いない乳化重合法により得られた含フッ素共重合体水性分散液から、各種の金属元素濃度が著しく低減（例：１ｐｐｍ以下）された高純度含フッ素共重合体あるいはその加硫（架橋）成形体を簡単な方法で得ることができる。
【００３９】
【実施例】
以下、本発明に係る含フッ素共重合体の製造方法ついて実施例によりさらに具体的に説明するが、本発明は係る実施例により何ら限定されるものではない。
＜金属含有量の測定＞
試料の含フッ素共重合体２ｇに、濃硫酸を１ｍｌ添加して、電気炉にて６５０℃の温度で１時間加熱して灰化を行った。
【００４０】
得られた灰分を、希硝酸（６Ｎ）に溶解させて、ＩＣＰ発光分析法により、各金属の定量を行った。
【００４１】
【参考例１】
内容量１００リットルのＳＵＳ３１６製のオートクレーブ内に、
2004285264.tif 000004
を仕込み、５５℃に加温すると、オートクレーブの内圧は、２．５ＭＰａ・Ｇとなった。
【００４２】
オートクレーブ内がこのような内圧になったところで、定量ポンプによって、ペルオキソ二硫酸アンモニウム（重合開始剤）０．０５ｋｇ（０．２モル）を系内に導入し、重合反応を開始させた。
重合反応の進行に伴って、オートクレーブの内圧が２．４ＭＰａ・Ｇまで低下したらフッ化ビニリデン（ＶｄＦ）を追加供給しその内圧を２．５ＭＰａ・Ｇまで回復させる操作を、フッ化ビニリデン（ＶｄＦ）の分添量（すなわち、所定の組成比でＶｄＦ、ＣＴＦＥなどを逐次、反応系に導入した際のＶｄＦ量。特にここでは逐次添加されたＶｄＦ量の合計。）が１５ｋｇ（２３４．２モル）になるまで繰り返した。
【００４３】
また、他の共重合モノマー（即ちＣＴＦＥ）も、ＶｄＦの分添量に応じて、ＶｄＦ／ＣＴＦＥ＝９７（モル％）／３（モル％）の組成比で均一分添（すなわち、所望の組成比のモノマー混合物を反応系内に適時、添加して共重合反応を進行させること）を行った。
分添終了後、０．５ＭＰａ・Ｇまでエージングを行い、重合を完結させた。
【００４４】
オートクレーブから取り出された水性分散液の固形分濃度（測定法：赤外水分測定装置を使用、測定条件：１２０℃で６０ｍｉｎ．。以下同様。）は、２６ｗｔ％であった。
【００４５】
【参考例２】
内容量１００リットルのＳＵＳ３１６製のオートクレーブ内に、
2004285264.tif 000005
を仕込み、８０℃に加温すると、オートクレーブの内圧は０．８５ＭＰａ・Ｇとなった。
【００４６】
オートクレーブ内がこのような内圧になったところで、定量ポンプによって、ペルオキソ二硫酸アンモニウム（重合開始剤）０．０３ｋｇ（０．１モル）を系内に導入し、重合反応を開始させた。
重合反応の進行に伴って、オートクレーブの内圧が０．８０ＭＰａ・Ｇまで低下したらテトラフルオロエチレン［ＴＦＥ］を追加供給しその内圧を０．８５ＭＰａ・Ｇまで回復させる操作を、ＴＦＥの分添量が１８．５ｋｇ（１８５．０モル）になるまで繰り返した。
【００４７】
分添終了後、０．４０ＭＰａ・Ｇまでエージングを行い、重合を完結させた。オートクレーブから取り出された水性分散液の固形分濃度は３１ｗｔ％でああった。
【００４８】
【参考例３】
内容量１００リットルのＳＵＳ３１６製のオートクレーブ内に、
2004285264.tif 000006
を仕込み、十分に脱気を行った後、連鎖移動剤としての１−ブロモ−２−ヨードテトラフルオロエタン０．０７ｋｇ（０．２モル）および初期仕込みとして、
フッ化ビニリデン［ＶｄＦ］      ・・・・・７．５ｋｇ（１１７モル）、
テトラフルオロエチレン［ＴＦＥ］・・・・・１．７ｋｇ（１７．０モル）、
ヘキサフルオロプロピレン［ＨＦＰ］・・・５．５ｋｇ（３６．７モル）、
を仕込み、５０℃に加温すると、オートクレーブの内圧は３．４ＭＰａ・Ｇとなった。
【００４９】
ここで、定量ポンプによって、ペルオキソ二硫酸アンモニウム０．０２ｋｇ（０．０９モル）を導入し、重合反応を開始させた。
重合反応の進行に伴って、オートクレーブの内圧が０．２ＭＰａ・Ｇまで降下した時点で、重合を完結させた。
オートクレーブから取り出された水性分散液の固形分濃度は２８ｗｔ％でああった。
【００５０】
【参考例４】
参考例３において、２５％アンモニア水０．０２ｋｇ（０．３モル）の代わりに、リン酸水素二ナトリウム・１２水和物を０．１ｋｇ（０．３モル）の量で用いた以外は、参考例３と同様の操作を行い、含フッ素共重合体水性分散液を得た。
【００５１】
得られた含フッ素共重合体水性分散液の固形分濃度は、２８ｗｔ％であった。
【００５２】
【実施例１〜３】
参考例１〜３において得られた含フッ素共重合体水性分散液１０ｋｇを、ステアリルトリメチルアンモニウムクロライド１重量％のエタノール溶液１０ｋｇに、常温（２５℃）℃、常圧下に１時間かけて滴下して含フッ素共重合体の凝析を行い、得られた含フッ素共重合体の含有金属濃度を測定した。
【００５３】
得られた含フッ素共重合体中の含有金属であるＮａ、Ｍｇ、Ａｌ、Ｋ、Ｃａ、Ｆｅ、Ｃｕの濃度は、何れも１ｐｐｍ未満であった。
結果を併せて表１に示す。
【００５４】
【比較例１】
参考例１において得られた含フッ素共重合体水性分散液１０ｋｇを、１重量％の塩酸カルシウム水溶液１０ｋｇｋｇに１時間かけて滴下して含フッ素共重合体の凝析を行い、得られた含フッ素共重合体の含有金属濃度を測定した。
得られた含フッ素共重合体中の含有金属であるＮａ、Ｍｇ、Ａｌ、Ｋ、Ｃａ、Ｆｅ、Ｃｕの濃度については、Ｃａ濃度が２００ｐｐｍであり、それ以外は、何れも１ｐｐｍ未満であった。
【００５５】
結果を併せて表１に示す。
【００５６】
【比較例２】
参考例２において得られた含フッ素共重合体水性分散液１０ｋｇを、１０重量％の塩化ナトリウム水溶液１０ｋｇに１時間かけて滴下して含フッ素共重合体の凝析を行い、得られた含フッ素共重合体の含有金属濃度を測定した。
得られた含フッ素共重合体中の含有金属であるＮａ、Ｍｇ、Ａｌ、Ｋ、Ｃａ、Ｆｅ、Ｃｕの濃度については、Ｎａ濃度が５０ｐｐｍであり、それ以外は、何れも１ｐｐｍ未満であった。
【００５７】
結果を併せて表１に示す。
【００５８】
【比較例３】
参考例３において得られた含フッ素共重合体水性分散液１０ｋｇを、１重量％のカリミョウバン水溶液１０ｋｇに１時間かけて滴下して含フッ素共重合体の凝析を行い、得られた含フッ素共重合体の含有金属濃度を測定した。
得られた含フッ素共重合体中の含有金属であるＮａ、Ｍｇ、Ａｌ、Ｋ、Ｃａ、Ｆｅ、Ｃｕの濃度については、Ａｌ濃度が２７ｐｐｍであり、Ｋ濃度が１０ｐｐｍであり、それら以外は、何れも１ｐｐｍ未満であった。
【００５９】
結果を併せて表１に示す。
【００６０】
【比較例４】
参考例４において得られた含フッ素共重合体水性分散液１０ｋｇを、−２５℃による凍結凝析を行い、得られた含フッ素共重合体の含有金属濃度を測定した。得られた含フッ素共重合体中の含有金属であるＮａ、Ｍｇ、Ａｌ、Ｋ、Ｃａ、Ｆｅ、Ｃｕの濃度については、Ｎａ濃度が１０ｐｐｍであり、それ以外は、何れも１ｐｐｍ未満であった。
【００６１】
結果を併せて表１に示す。
【００６２】
【比較例５】
参考例４において得られた含フッ素共重合体水性分散液１０ｋｇを、ステアリルトリメチルアンモニウムクロライド１重量％のエタノール溶液１０ｋｇに１時間かけて滴下して含フッ素共重合体の凝析を行い、得られた含フッ素共重合体の含有金属濃度を測定した。
【００６３】
得られた含フッ素共重合体中の含有金属であるＮａ、Ｍｇ、Ａｌ、Ｋ、Ｃａ、Ｆｅ、Ｃｕの濃度については、Ｎａ濃度が２ｐｐｍであり、それ以外は、何れも１ｐｐｍ未満であった。
結果を併せて表１に示す。
【００６４】
【実施例４および比較例６】
実施例３、比較例３においてそれぞれ得られた含フッ素共重合体を用いて、表２に示す配合処方に従い調製した含フッ素エラストマー組成物を、８インチロールミルにより素練りを行い、次いで、表２に示した加硫条件により加硫を行い、加硫成形体を作製した。
【００６５】
得られた加硫成形体について、前述の測定法に従い金属含有量の測定を行ったところ、下記表１〜２に示すような結果が得られた。
表１〜２を参照すると、得られた上記各加硫成形体のうちで、実施例３で得られた含フッ素共重合体を用いた加硫成形体（実施例４）は、比較例３で得られた含フッ素共重合体を用いた加硫成形体（比較例６）に比して、金属元素濃度が低減されており、液晶・半導体製造装置分野における搬送ロール、シール材、ホース、チューブなどとして、あるいは電気分野におけるリチウム二次電池のポリマー電解質形成用高分子マトリックスなどとして好適に使用される。
【００６６】
【表１】
2004285264.tif 000007
【００６７】
【表２】
2004285264.tif 000008